(57)【要約】【課題】  自局波よりも強い妨害波の存在を報知可能なディジタルＦＰＵ受信装置を提供する。【解決手段】  バンドパスフィルタ２は低雑音増幅器１からの信号からイメージ波信号成分を除去し、ミキサ３はバンドパスフィルタ２を通過したＳＨＦ信号を、局部発振器４からの信号からＩＦ信号へ周波数変換する。バンドパスフィルタ５はミキサ３によって生成される信号から受信信号帯域以外の成分を除去する。検波器９はバンドパスフィルタ２を通過した信号レベルを検波する。バンドパスフィルタ１０はバンドパスフィルタ５を通過した信号を帯域制限する。検波器１１はバンドパスフィルタ１０を通過した信号レベルを検波する。レベル比較器１３は検波器９からの信号と検波器１１からの信号とを比較し、表示素子１４はレベル比較器１３からの信号によって妨害波の存在を表示する。【選択図】      図１
2008092386.tif 000002
【特許請求の範囲】
【請求項１】
複数のＳＨＦ（Ｓｕｐｅｒ  Ｈｉｇｈ  Ｆｒｅｑｕｅｎｃｙ）チャンネルを切替えて運用することが可能なディジタルＦＰＵ受信装置であって、
受信したＳＨＦ信号を広帯域に検波する手段と、前記ＳＨＦ信号を変換して得たＩＦ（Ｉｎｔｅｒｍｅｄｉａｔｅ  Ｆｒｅｑｕｅｎｃｙ：中間周波数）信号にて自局波の受信レベルを検波する手段と、前記ＳＨＦ信号の検波レベルと前記自局波の受信レベルとを比較する手段と、その比較結果を基に前記自局波よりも強い信号レベルの妨害波が存在することを表示する手段とを有することを特徴とするディジタルＦＰＵ受信装置。
【請求項２】
複数のＳＨＦ（Ｓｕｐｅｒ  Ｈｉｇｈ  Ｆｒｅｑｕｅｎｃｙ）チャンネルを切替えて運用することが可能なディジタルＦＰＵ受信装置であって、
受信したＳＨＦ信号をＩＦ（Ｉｎｔｅｒｍｅｄｉａｔｅ  Ｆｒｅｑｕｅｎｃｙ：中間周波数）信号に変換する周波数変換器と、前記周波数変換器の前段で広帯域に検波する第１の検波手段と、前記ＳＨＦ信号を前記ＩＦ信号に周波数変換しかつ帯域制限した後に自局波の受信信号レベルを検波する第２の検波手段と、前記第１の検波手段で検波した検波レベルを前記第２の検波手段で検波した自局波の受信信号レベルと比較する比較手段と、前記比較手段にて検出された前記自局波より高い受信信号レベルの妨害波の存在を報知する表示手段とを有することを特徴とするディジタルＦＰＵ受信装置。
【請求項３】
前記比較手段は、前記第１の検波手段からの検波レベルが前記第２の検波手段での検波レベル相当よりも高いことを検出すると、前記表示手段に対してアラーム信号を出力し、前記表示手段にて前記自局波より高いレベルの妨害波の存在を報知することを特徴とする請求項２記載のディジタルＦＰＵ受信装置。
【請求項４】
複数のＳＨＦ（Ｓｕｐｅｒ  Ｈｉｇｈ  Ｆｒｅｑｕｅｎｃｙ）チャンネルを切替えて運用することが可能なディジタルＦＰＵ受信装置に用いる妨害波検知方法であって、
前記ディジタルＦＰＵ受信装置が、受信したＳＨＦ信号を広帯域に検波するとともに、前記ＳＨＦ信号を変換して得たＩＦ（Ｉｎｔｅｒｍｅｄｉａｔｅ  Ｆｒｅｑｕｅｎｃｙ：中間周波数）信号にて自局波の受信レベルを検波し、前記ＳＨＦ信号の検波レベルと前記自局波の受信レベルとを比較した結果を基に前記自局波よりも強い信号レベルの妨害波が存在することを表示することを特徴とする妨害波検知方法。
【請求項５】
複数のＳＨＦ（Ｓｕｐｅｒ  Ｈｉｇｈ  Ｆｒｅｑｕｅｎｃｙ）チャンネルを切替えて運用することが可能な妨害波検知方法であって、
前記ディジタルＦＰＵ受信装置が、受信したＳＨＦ信号を周波数変換器にてＩＦ（Ｉｎｔｅｒｍｅｄｉａｔｅ  Ｆｒｅｑｕｅｎｃｙ：中間周波数）信号に変換し、前記周波数変換器の前段で第１の検波手段にて広帯域に検波し、前記ＳＨＦ信号を前記ＩＦ信号に周波数変換しかつ帯域制限した後に第２の検波手段にて自局波の受信信号レベルを検波し、比較手段にて前記第１の検波手段で検波した検波レベルを前記第２の検波手段で検波した自局波の受信信号レベルと比較し、その比較で検出された前記自局波より高い受信信号レベルの妨害波の存在を表示手段にて報知することを特徴とする妨害波検知方法。
【請求項６】
前記比較手段が、前記第１の検波手段からの検波レベルが前記第２の検波手段での検波レベル相当よりも高いことを検出すると、前記表示手段に対してアラーム信号を出力し、前記表示手段にて前記自局波より高いレベルの妨害波の存在を報知することを特徴とする請求項５記載の妨害波検知方法。
【発明の詳細な説明】
【技術分野】
【０００１】
本発明はディジタルＦＰＵ受信装置及びそれに用いる妨害波検知方法に関し、特にディジタルＦＰＵ（Ｆｉｅｌｄ  Ｐｉｃｋｕｐ  Ｕｎｉｔ）受信装置における妨害波の検知方法に関する。
【背景技術】
【０００２】
従来、ディジタルＦＰＵ受信装置においては、図４に示すように、低雑音増幅器１と、バンドパスフィルタ２，５，１０と、ミキサ３と、局部発振器４と、ＩＦ（Ｉｎｔｅｒｍｅｄｉａｔｅ  Ｆｒｅｑｕｅｎｃｙ：中間周波数）  ＡＧＣ（Ａｕｔｏｍａｔｉｃ  Ｇａｉｎ  Ｃｏｎｔｒｏｌ：自動利得調整）増幅器６と、ディジタル復調器７と、デコーダ８と、検波器１１と、表示素子１２とを有している。
【０００３】
低雑音増幅器１は入力されたＳＨＦ（Ｓｕｐｅｒ  Ｈｉｇｈ  Ｆｒｅｑｕｅｎｃｙ：マイクロ波）信号を増幅する。バンドパスフィルタ２は図２のａのような帯域を有し、低雑音増幅器１からの信号からイメージ波信号成分を除去する。ミキサ３はバンドパスフィルタ２を通過したＳＨＦ信号を、局部発振器４からの信号からＩＦ信号へ周波数変換する。
【０００４】
バンドパスフィルタ５は図２のｂの帯域を有し、ミキサ３によって生成されるＩＦ信号から受信信号帯域以外の成分を除去する。ＩＦ  ＡＧＣ増幅器６はバンドパスフィルタ５を通過したＩＦ信号を所定のレベルに増幅する。ディジタル復調器７はＩＦ  ＡＧＣ増幅器６からのＩＦ信号をディジタル信号に変換する。
【０００５】
デコーダ８はディジタル復調器７で復調されたディジタル信号を映像・音声信号に伸長する。バンドパスフィルタ１０はバンドパスフィルタ５を通過した信号を、さらに図２のｃの帯域に帯域制限する。検波器１１はバンドパスフィルタ１０を通過した信号レベルを検波する。表示素子１２は検波器１１からの信号を受け、自局波の受信信号の強さを表示する。
【０００６】
尚、アナログ放送に用いられるＦＰＵ伝送については、以下の特許文献１，２に記載の技術がある。
【特許文献１】特開２００５−２１０２９９号公報
【特許文献２】特開２００４−２０１００３号公報
【発明の開示】
【発明が解決しようとする課題】
【０００７】
上述した従来のディジタルＦＰＵ受信装置では、より低い受信レベルまで受信信号強度を表示する必要があるため、受信信号帯域からバンドパスフィルタ１０にてさらに狭帯域に帯域制限をした後に信号レベルを検波し、受信信号強度レベルを表示しているので、自局波を受信しておらず、妨害波のみが存在するような場合でも、受信信号強度レベルが全く表示されないという問題がある。
【０００８】
また、従来のディジタルＦＰＵ受信装置では、受信している映像・音声信号に異常が生じても、受信装置自身の不具合なのか、強い妨害波による影響なのかが容易に区別できないという問題もある。
【０００９】
つまり、従来のディジタルＦＰＵ受信装置では、受信したＳＨＦ信号をＩＦ信号に周波数変換した後、さらに帯域制限をした上で信号レベルを検波し、その結果を表示しているため、自局波を受信してなく、妨害波しか存在しないような場合においても、受信信号レベルが表示されず、妨害波の存在を把握することが難しい。
【００１０】
さらに、従来のディジタルＦＰＵ受信装置では、強いレベルの妨害波が存在することによって、低雑音増幅器等での混変調によって受信映像・音声出力に異常が生じても、受信装置自身の不具合なのか、強い妨害波による影響なのかが容易に区別できないという問題がある。
【００１１】
そこで、本発明の目的は上記の問題点を解消し、自局波よりも強い妨害波の存在を報知することができるディジタルＦＰＵ受信装置及びそれに用いる妨害波検知方法を提供することにある。
【課題を解決するための手段】
【００１２】
本発明による第１のディジタルＦＰＵ受信装置は、複数のＳＨＦ（Ｓｕｐｅｒ  Ｈｉｇｈ  Ｆｒｅｑｕｅｎｃｙ）チャンネルを切替えて運用することが可能なディジタルＦＰＵ受信装置であって、
受信したＳＨＦ信号を広帯域に検波する手段と、前記ＳＨＦ信号を変換して得たＩＦ（Ｉｎｔｅｒｍｅｄｉａｔｅ  Ｆｒｅｑｕｅｎｃｙ：中間周波数）信号にて自局波の受信レベルを検波する手段と、前記ＳＨＦ信号の検波レベルと前記自局波の受信レベルとを比較する手段と、その比較結果を基に前記自局波よりも強い信号レベルの妨害波が存在することを表示する手段とを備えている。
【００１３】
本発明による第２のディジタルＦＰＵ受信装置は、複数のＳＨＦ（Ｓｕｐｅｒ  Ｈｉｇｈ  Ｆｒｅｑｕｅｎｃｙ）チャンネルを切替えて運用することが可能なディジタルＦＰＵ受信装置であって、
受信したＳＨＦ信号をＩＦ（Ｉｎｔｅｒｍｅｄｉａｔｅ  Ｆｒｅｑｕｅｎｃｙ：中間周波数）信号に変換する周波数変換器と、前記周波数変換器の前段で広帯域に検波する第１の検波手段と、前記ＳＨＦ信号を前記ＩＦ信号に周波数変換しかつ帯域制限した後に自局波の受信信号レベルを検波する第２の検波手段と、前記第１の検波手段で検波した検波レベルを前記第２の検波手段で検波した自局波の受信信号レベルと比較する比較手段と、前記比較手段にて検出された前記自局波より高い受信信号レベルの妨害波の存在を報知する表示手段とを備えている。
【００１４】
本発明による第１の妨害波検知方法は、複数のＳＨＦ（Ｓｕｐｅｒ  Ｈｉｇｈ  Ｆｒｅｑｕｅｎｃｙ）チャンネルを切替えて運用することが可能なディジタルＦＰＵ受信装置に用いる妨害波検知方法であって、
前記ディジタルＦＰＵ受信装置が、受信したＳＨＦ信号を広帯域に検波するとともに、前記ＳＨＦ信号を変換して得たＩＦ（Ｉｎｔｅｒｍｅｄｉａｔｅ  Ｆｒｅｑｕｅｎｃｙ：中間周波数）信号にて自局波の受信レベルを検波し、前記ＳＨＦ信号の検波レベルと前記自局波の受信レベルとを比較した結果を基に前記自局波よりも強い信号レベルの妨害波が存在することを表示している。
【００１５】
本発明による第２の妨害波検知方法は、複数のＳＨＦ（Ｓｕｐｅｒ  Ｈｉｇｈ  Ｆｒｅｑｕｅｎｃｙ）チャンネルを切替えて運用することが可能な妨害波検知方法であって、
前記ディジタルＦＰＵ受信装置が、受信したＳＨＦ信号を周波数変換器にてＩＦ（Ｉｎｔｅｒｍｅｄｉａｔｅ  Ｆｒｅｑｕｅｎｃｙ：中間周波数）信号に変換し、前記周波数変換器の前段で第１の検波手段にて広帯域に検波し、前記ＳＨＦ信号を前記ＩＦ信号に周波数変換しかつ帯域制限した後に第２の検波手段にて自局波の受信信号レベルを検波し、比較手段にて前記第１の検波手段で検波した検波レベルを前記第２の検波手段で検波した自局波の受信信号レベルと比較し、その比較で検出された前記自局波より高い受信信号レベルの妨害波の存在を表示手段にて報知している。
【００１６】
すなわち、本発明のディジタルＦＰＵ（Ｆｉｅｌｄ  Ｐｉｃｋｕｐ  Ｕｎｉｔ）受信装置では、受信したＳＨＦ信号を広帯域に検波する手段と、ＩＦ信号にて自局波の受信レベルを検波する手段と、ＳＨＦ信号検波レベルと自局波の受信レベルとを比較する手段と、自局波よりも強い信号レベルの妨害波が存在することを表示する手段とを有している。
【００１７】
本発明のディジタルＦＰＵ受信装置では、複数のＳＨＦ（Ｓｕｐｅｒ  Ｈｉｇｈ  Ｆｒｅｑｕｅｎｃｙ：マイクロ波）チャンネルを切替えて運用することが可能な受信装置において、受信したＳＨＦ信号をＩＦ（Ｉｎｔｅｒｍｅｄｉａｔｅ  Ｆｒｅｑｕｅｎｃｙ：中間周波数）信号に変換する周波数変換器の前段（直前）にて広帯域に検波し、検波レベルをＩＦ信号に周波数変換し、さらに帯域制限した後に、検波した自局波の受信信号レベルと比較することによって、自局波より高い受信信号レベルの妨害波の存在を検出して報知することを特徴としている。
【００１８】
これによって、本発明のディジタルＦＰＵ受信装置では、自局波よりレベルが強い妨害波の存在を把握することが可能となる。また、本発明のディジタルＦＰＵ受信装置では、強いレベルの妨害波が存在することによって、低雑音増幅器等での混変調によって受信映像・音声出力に異常が生じても、受信装置自身の不具合なのか、強い妨害波による影響なのかを容易に判別することが可能となる。
【発明の効果】
【００１９】
本発明は、上記のような構成及び動作とすることで、自局波よりも強い妨害波の存在を報知することができるという効果が得られる。
【発明を実施するための最良の形態】
【００２０】
次に、本発明の実施例について図面を参照して説明する。図１は本発明の一実施例によるディジタルＦＰＵ受信装置の構成を示すブロック図であり、図２は自局波スペクトラムとバンドパスフィルタの通過帯域との関係を示す図であり、図３はＳＨＦ（Ｓｕｐｅｒ  Ｈｉｇｈ  Ｆｒｅｑｕｅｎｃｙ：マイクロ波）信号スペクトラムを示す図である。
【００２１】
図１において、本発明の一実施例によるディジタルＦＰＵ受信装置は、低雑音増幅器１と、バンドパスフィルタ２，５，１０と、ミキサ３と、局部発振器４と、ＩＦ（Ｉｎｔｅｒｍｅｄｉａｔｅ  Ｆｒｅｑｕｅｎｃｙ：中間周波数）  ＡＧＣ（Ａｕｔｏｍａｔｉｃ  Ｇａｉｎ  Ｃｏｎｔｒｏｌ：自動利得調整）増幅器６と、ディジタル復調器７と、デコーダ８と、検波器９，１１と、表示素子１２，１４と、レベル比較器１３とを備えている。
【００２２】
低雑音増幅器１は入力されたＳＨＦ信号を増幅する。バンドパスフィルタ２は、図２のａのような帯域を有し、低雑音増幅器１からの信号からイメージ波信号成分を除去する。ミキサ３は、バンドパスフィルタ２を通過したＳＨＦ信号を、局部発振器４からの信号からＩＦ信号へ周波数変換する。
【００２３】
バンドパスフィルタ５は、図２のｂのような帯域を有し、ミキサ３によって生成される信号から受信信号帯域以外の成分を除去する。ＩＦ  ＡＧＣ増幅器６は、バンドパスフィルタ５を通過したＩＦ信号を所定のレベルに増幅する。ディジタル復調器７は、ＩＦ  ＡＧＣ増幅器６からのＩＦ信号をディジタル信号に変換し、デコーダ８は、ディジタル復調器７で復調されたディジタル信号を映像・音声信号に伸長する。
【００２４】
検波器９はバンドパスフィルタ２を通過した信号レベルを検波する。バンドパスフィルタ１０は、バンドパスフィルタ５を通過した信号を、さらに図２のｃのような帯域に帯域制限する。検波器１１は、バンドパスフィルタ１０を通過した信号レベルを検波し、表示素子１２は、検波器１１からの信号を受け、自局波の受信信号の強さを表示する。レベル比較器１３は検波器９からの信号と検波器１１からの信号とを比較する。表示素子１４は、レベル比較器１３からの信号によって妨害波の存在を表示する。
【００２５】
これら図１〜図３を参照して本発明の一実施例によるディジタルＦＰＵ受信装置の動作を、図３に示すＳＨＦ信号スペクトラムとともに説明する。
【００２６】
ディジタルＦＰＵ受信装置に入力されたＳＨＦ信号は、低雑音増幅器１にて増幅された後、バンドパスフィルタ２にてイメージ受信妨害となる不要波を除去後、ミキサ３と検波器９とに入力される。ミキサ３に入力された信号は、局部発振器４からの信号と混合された後、バンドパスフィルタ５に入力される。バンドパスフィルタ５ではＩＦ信号以外の不要波成分が除去される。図３に示す妨害波もバンドパスフィルタ５にて除去される。
【００２７】
バンドパスフィルタ５を通過したＩＦ信号は、ＩＦ  ＡＧＣ増幅器６とバンドパスフィルタ１０とに入力される。ＩＦ  ＡＧＣ増幅器６に入力されたＩＦ信号は一定レベルまで増幅された後、ディジタル復調器７にてディジタル信号に変換され、さらにデコーダ８にて伸長されて映像・音声信号となり、ディジタルＦＰＵ受信装置から出力される。
【００２８】
バンドパスフィルタ１０に入力されたＩＦ信号は、さらに狭帯域に帯域制限された後、検波器１１にて検波され、表示素子１２とレベル比較器１３とに入力される。表示素子１２は、検波器１１からの信号を受け、自局波の受信信号の強さを表示する。
【００２９】
一方、検波器９には、図３に示す自局波と妨害波との両方が入力されるため、自局波と妨害波との両方が検波された後、レベル比較器１３に入力される。レベル比較器１３では、検波器９からの検波レベルと検波器１１からの検波レベルとを比較し、検波器９からの検波レベルが検波器１１での検波レベル相当よりも高いと判断すると、表示素子１４に対してアラーム信号を出力し、表示素子１４にて自局波より高いレベルの妨害波の存在を報知する。
【００３０】
このように、本実施例では、自局波よりレベルが強い妨害波の存在を把握することができる。さらに、本実施例では、強いレベルの妨害波が存在することで、低雑音増幅器等での混変調によって受信映像・音声出力に異常が生じても、受信装置自身の不具合なのか、強い妨害波による影響なのかを容易に判別することができる。
【図面の簡単な説明】
【００３１】
【図１】本発明の一実施例によるディジタルＦＰＵ受信装置の構成を示すブロック図である。
【図２】自局波スペクトラムとバンドパスフィルタの通過帯域との関係を示す図である。
【図３】ＳＨＦ信号スペクトラムを示す図である。
【図４】従来例によるディジタルＦＰＵ受信装置の構成を示すブロック図である。
【符号の説明】
【００３２】
１  低雑音増幅器
２，５，１０  バンドパスフィルタ
３  ミキサ
４  局部発振器
６  ＩＦ  ＡＧＣ増幅器
７  ディジタル復調器
８  デコーダ
９，１１  検波器
１２，１４  表示素子
１３  レベル比較器
【図１】
2008092386.tif 000003
【図２】
2008092386.tif 000004
【図３】
2008092386.tif 000005
【図４】
2008092386.tif 000006